(57)【特許請求の範囲】
【請求項１】
文字入力モードとカーソル動作モードとを含む複数の操作モードを有するテンキーと、
所定の表示領域を有し、該表示領域中に入力を補助するカーソルを表示可能な表示手段と、
前記テンキーの複数の操作モード間の切り替えを制御する切替制御手段と、
前記テンキーを構成するいずれかのキーに対する前記利用者の押下が、長押し／短押しのいずれであるかを検知するユーザスイッチング手段とを有し、
前記押下が前記短押しであると検知した場合、前記テンキーが前記文字入力モードとしての入力となり、
前記押下が前記長押しであると検知した場合、前記テンキーが前記カーソル動作モードとしての入力となり、
前記カーソル動作モードは、前記テンキーの内、マトリクス状に配列された９個のキーの中心となるキーの周囲８個のキーの押下を、前記表示手段に表示されるカーソルの上下左右および斜め４方向への移動に対応させたモードであり、
前記周囲８個のキーの押下の長押し時は、前記カーソル動作モードへと切り替わるのと共に押下されたキーと対応させた方向にカーソル移動することを特徴とする移動体端末。
【請求項２】
文字入力モードとスクロール動作モードとを含む複数の操作モードを有するテンキーと、
所定の表示領域を有し、スクロール表示が可能な表示手段と、
前記テンキーの複数の操作モード間の切り替えを制御する切替制御手段と、
前記テンキーを構成するいずれかのキーに対する前記利用者の押下が、長押し／短押し
のいずれであるかを検知するユーザスイッチング手段とを有し、
前記押下が前記短押しであると検知した場合、前記テンキーが前記文字入力モードとしての入力となり、
前記押下が前記長押しであると検知した場合、前記テンキーが前記スクロール動作モードとしての入力となり、
前記スクロール動作モードは、前記テンキーの内、マトリクス状に配列された９個のキーの中心となるキーの周囲８個のキーの押下を、前記表示手段に表示される表示領域の上下左右および斜め４方向への移動に対応させたモードであり、
前記周囲８個のキーの押下の長押し時は、前記スクロール動作モードへと切り替わるのと共に押下されたキーと対応させた方向にスクロール移動することを特徴とする移動体端末。
【請求項３】
前記テンキーの操作モードの種類を前記利用者に認識させる操作モード表示手段をさらに有することを特徴とする請求項１または２記載の移動体端末。
【請求項４】
前記操作モード表示手段は、前記表示領域中に、前記テンキーの操作モードの種類を前記利用者に認識させる表示を表示することを特徴とする請求項３記載の移動体端末。
【請求項５】
前記ユーザスイッチング手段は、前記利用者が発生させたステータス変化に基づき、前記切替制御手段に切り替え指示を通知することを特徴とする請求項１または２記載の移動体端末。
【請求項６】
前記ユーザスイッチング手段は、前記テンキー中の「５」の長押しにより、前記切替制御手段に切り替え指示を通知することを特徴とする請求項１または２記載の移動体端末。
【請求項７】
文字入力モードとカーソル動作モードとを含む複数の操作モードを有するテンキーと、所定の表示領域を有し、該表示領域中に入力を補助するカーソルを表示可能な表示部と、を有する移動体端末のポインタ制御方法であって、
前記複数の操作モード間の切り替えを指示するユーザスイッチング工程と、
前記ユーザスイッチング工程により前記操作モードの切り替えを指示されたとき、前記テンキーの複数の操作モード間の切り替えを行う切替制御工程と、を有し、
前記ユーザスイッチング工程は、前記テンキーを構成するいずれかのキーに対する前記利用者の押下が、長押し／短押しのいずれであるかを検知する工程であり、
前記押下が前記短押しであると検知した場合、前記テンキーが前記文字入力モードとしての入力となり、
前記押下が前記長押しの場合、前記テンキーが前記カーソル動作モードとしての入力となり、
前記カーソル動作モードは、前記テンキーの内、マトリクス状に配列された９個のキーの中心となるキーの周囲８個のキーの押下を、前記表示部に表示されるカーソルの上下左右および斜め４方向への移動に対応させたモードであり、
前記周囲８個のキーの押下の長押し時は、前記カーソル動作モードへと切り替わるのと共に押下されたキーと対応させた方向にカーソル移動することを特徴とする移動体端末のポインタ制御方法。
【請求項８】
文字入力モードとスクロール動作モードとを含む複数の操作モードを有するテンキーと、所定の表示領域を有し、スクロール表示が可能な表示部と、を有する移動体端末のポインタ制御方法であって、
前記複数の操作モード間の切り替えを指示するユーザスイッチング工程と、
前記ユーザスイッチング工程により前記操作モードの切り替えを指示されたとき、前記テンキーの複数の操作モード間の切り替えを行う切替制御工程と、を有し、
前記ユーザスイッチング工程は、前記テンキーを構成するいずれかのキーに対する前記利用者の押下が、長押し／短押しのいずれであるかを検知する工程であり、
前記押下が前記短押しであると検知した場合、前記テンキーが前記文字入力モードとしての入力となり、
前記押下が前記長押しであると検知した場合、前記テンキーが前記スクロール動作モードとしての入力となり、
前記スクロール動作モードは、前記テンキーの内、マトリクス状に配列された９個のキーの中心となるキーの周囲８個のキーの押下を、前記表示部の表示領域の上下左右および斜め４方向へのスクロールに対応させたモードであり、
前記周囲８個のキーの押下の長押し時は、前記スクロール動作モードへと切り替わるのと共に押下されたキーと対応させた方向にスクロール移動することを特徴とする移動体端末のポインタ制御方法。
【請求項９】
前記テンキーの操作モードの種類を前記利用者に認識させる操作モード表示工程をさらに有することを特徴とする請求項７または８記載のポインタ制御方法。
【請求項１０】
前記操作モード表示工程は、前記表示部の前記表示領域中に、前記テンキーの操作モードの種類を前記利用者に認識させる表示を行うことを特徴とする請求項９記載のポインタ制御方法。
【請求項１１】
前記ユーザスイッチング工程は、前記利用者が発生させたステータス変化に基づくことを特徴とする請求項７または８記載ポインタ制御方法。
【請求項１２】
前記ユーザスイッチング工程は、前記テンキー中の「５」の長押しに基づくことを特徴とする請求項７または８記載のポインタ制御方法。
【請求項１３】
文字入力モードとカーソル動作モードとを含む複数の操作モードを有するテンキーと、所定の表示領域を有し、該表示領域中に入力を補助するカーソルを表示可能な表示部と、を有する移動体端末に対して、
利用者からの前記複数の操作モード間の切り替えを指示するユーザスイッチング処理と、
前記ユーザスイッチング処理により前記操作モードの切り替えを指示されたとき、前記テンキーの複数の操作モード間の切り替えを行う切替制御処理と、を実行させるポインタ制御プログラムであって、
前記ユーザスイッチング処理は、前記テンキーを構成するいずれかのキーに対する前記利用者の押下が、長押し／短押しのいずれであるかを検知する処理であり、
前記押下が前記短押しであると検知した場合、前記テンキーが前記文字入力モードとしての入力となり、
前記押下が前記長押しであると検知した場合、前記テンキーが前記カーソル動作モードとしての入力となり、
前記カーソル動作モードは、前記テンキーの内、マトリクス状に配列された９個のキーの中心となるキーの周囲８個のキーの押下を、前記表示部に表示されるカーソルの上下左右および斜め４方向への移動に対応させたモードであり、
前記周囲８個のキーの押下の長押し時は、前記カーソル動作モードへと切り替わるのと共に押下されたキーと対応させた方向にカーソル移動することを特徴とするポインタ制御プログラム。
【請求項１４】
文字入力モードとスクロール動作モードとを含む複数の操作モードを有するテンキーと、所定の表示領域を有し、スクロール表示が可能な表示部と、を有する移動体端末に対して、
利用者からの前記複数の操作モード間の切り替えを指示するユーザスイッチング処理と、前記ユーザスイッチング処理により前記操作モードの切り替えを指示されたとき、前記テンキーの複数の操作モード間の切り替えを行う切替制御処理と、を実行させるポインタ制御プログラムであって、
前記ユーザスイッチング処理は、前記テンキーを構成するいずれかのキーに対する前記利用者の押下が、長押し／短押しのいずれであるかを検知する処理であり、
前記押下が前記短押しであると検知した場合、前記テンキーが前記文字入力モードとしての入力となり、
前記押下が前記長押しであると検知した場合、前記テンキーが前記スクロール動作モードとしての入力となり、
前記スクロール動作モードは、前記テンキーの内、マトリクス状に配列された９個のキーの中心となるキーの周囲８個のキーの押下を、前記表示部の表示領域の上下左右および斜め４方向へのスクロールに対応させたモードであり、
前記周囲８個のキーの押下の長押し時は、前記スクロール動作モードへと切り替わるのと共に押下されたキーと対応させた方向にカーソル移動することを特徴とするポインタ制御プログラム。
【請求項１５】
前記テンキーの操作モードを前記利用者に認識させる操作モード表示処理をさらに前記移動体端末に実行させることを特徴とする請求項１３または１４記載のポインタ制御プログラム。
【請求項１６】
前記操作モード表示処理は、前記表示部の前記表示領域中に、前記テンキーの操作モードの種類を前記利用者に認識させる表示を行うことを特徴とする請求項１５記載のポインタ制御プログラム。
【請求項１７】
前記ユーザスイッチング処理は、前記利用者が発生させたステータス変化に基づくことを特徴とする請求項１３または１４記載のポインタ制御プログラム。
【請求項１８】
前記ユーザスイッチング処理は、前記テンキー中の「５」の長押しに基づくことを特徴とする請求項１３または１４記載のポインタ制御プログラム。
【発明の詳細な説明】
【０００１】
【発明の属する技術分野】
本発明は、文字入力が可能な移動体端末、そのポインタ制御方法、およびそのプログラムに関し、特に利用者が操作中において、画面上に表示されたカーソルを移動する、あるいは画面上の表示内容をスクロールさせる移動体端末、ポインタ制御方法、およびそのプログラムに関する。
【０００２】
【従来の技術】
従来の携帯電話装置における文字入力操作について説明する。図１２は、従来の携帯電話装置の外観を示す概略正面図である。携帯電話装置１１’の正面には、ＬＣＤ部４’およびキー入力部５’が配置される。キー入力部５’は、複数のキーにより構成されており、以下にキー入力部５’の構成について説明する。
【０００３】
キー入力部５’は、カーソルキー５１’、通話開始キー５２’、文字・メールキー５３’、通話終了キー５４’、電話帳キー５５’、およびテンキー５６’を備える。カーソルキー５１’は、メールあるいは電話帳編集時等、特に文字入力中にカーソルを移動するために使用される。通話キー５２’は、相手方と通話するために発信操作を行う際、ダイヤル後の発信操作を行うために使用される。
【０００４】
文字・メールキー５３’は、電話帳編集時やメール作成時等の文字入力時に、テンキー５６’からの入力を英文字、カナ、ひらがな、および数字のいずれかに選択確定する操作のために使用される。また、携帯電話装置１１’の状態が文字入力時以外の状態、例えば待ち受け状態において、Ｅ−ＭＡＩＬ等の各種メニューに遷移するために使用される。通話終了キー５４’は、通話（通信）中の押下により接続中の無線通信回線を切断したり、あるいは長押しにより携帯電話装置１１’の電源をＯＦＦにするために使用される。電話帳キー５５’は、携帯電話装置１１’に保存されている電話帳データを呼び出して編集等を行ったり、電話帳各種メニューに遷移するために使用される。テンキー５６’は、文字入力を行うための各種キーより構成され、文字入力の際に使用される。
【０００５】
次に、本発明に関連する従来文献について説明する。実開平３−１１９２３０号公報は、マウスやジョイスティック等のポインタ機器を必要とするコンピュータにおいて、キーボードのキーに方向を割り当てて切り替えることにより、キーを押下するとマウス等をその方向に機能させたのと同様の機能をするキーボートを開示している。
【０００６】
また、特開２０００−１６５５３２号公報は、イメージ情報の編集を行うことが可能な携帯電話機に関し、ダイヤルボタン「５」を中心として８方向にカーソル移動させることが可能な技術を開示している。
【０００７】
【発明が解決しようとする課題】
ここで、上記図１２に示した従来の方式において、メール編集機能等の文字入力を行った場合の問題点について説明する。文字入力方式等については、本明細書中の実施の形態の記載内容と殆ど変わりないため、詳しい説明を省略するが、概説すれば、文字入力時において何らかの理由でカーソルの位置を変更（移動）する場合、利用者は、カーソルの方向指示をカーソルキー５１’により行う。
【０００８】
しかしながら、この場合はカーソル移動を行うためにカーソルキー５１’の実装が必要となり、限られた空間に多数のキーを配置する必要がある。したがって、キー入力部５’におけるカーソルキー５１’の他のキーは、必然的に小さくなり、結果として使い勝手が悪くなる。これが第一の問題点として挙げられる。
【０００９】
補足するならば、携帯電話機を始めとする移動体端末は、そのモバイル性から小型軽量化が要求される。一方、移動体端末に静止画や動画を表示するアプリケーション機能を搭載する技術が発展しており、表示部は、可能な限り大きいことが望ましい。そこで、操作部に割り当てられるスペースを縮小するという手法が考えられる。しかしながら、上述したように操作性が悪くなるという問題点が生じる。
【００１０】
第二の問題点は、第一の問題点とも関係するが、従来のカーソルキー５１’が上下左右の４方向しか定義されておらず、斜め方向へカーソルを移動するのに２回カーソルキー５１’を押下する必要があるため、操作性が悪いという点である。
【００１１】
次に、上記従来文献との相違点を説明する。上記実開平３−１１９２３０号公報に開示された技術は、テンキーをそのままマウスの代替手段としたものであり、カーソル移動時を考えると、ポインタを当該キーにより所定の位置まで移動した後、位置を確定する必要がある。カーソル移動量が確定していないため、カーソル移動のためにポインタを移動させるためのキー操作と、ポインタ確定のためのキー操作との２回のキー操作が必要となる。
【００１２】
これに対し本発明は、カーソル移動時を考えると、所定位置から８方向のうちのいずれかの位置にカーソル移動方向を指示する動作のため（移動量は予め決まっている）、指示方向に一定量だけカーソルが当該位置に移動する。カーソル移動のためには、１回キーを押下するだけで済む。また、画像スクロール時にも適用可能である（画面スクロール時において当該機能が動作した場合、一定量分指示方向に画面をスクロールさせる機能を持つ）。
【００１３】
上記特開２０００−１６５５３２号公報に開示された技術は、その適用範囲をイメージ編集時に限定している。これに対し本発明は、文字入力とカーソル移動とを複合的に頻繁に使用するメール編集等の文字入力を主に念頭にしており、操作部のキーを少なくしても操作性を低下させずに、むしろ向上させる技術を提供するものである。即ち、上記従来文献に開示された技術は、テンキーを通常の文字（数字）入力モードと、カーソル等の移動モードとの切り替えに係る操作の煩わしさには全く着目していない。
【００１４】
本発明は、上記問題点に鑑みなされたものであり、カーソルキーを削減し、かつ斜め方向へのカーソル移動をも考慮して、テンキーに文字入力機能だけでなくカーソル移動機能も兼用させても操作性を損なわない移動体端末、ポインタ制御方法、およびそのプログラムを提供することを目的とする。
【００１５】
より具体的には、移動体端末において切替制御により、テンキーの動作が文字入力モードかカーソル移動モードかのいずれかに切り替え可能な機能を備え、特に利用者が所定の操作をすることにより、移動体端末のテンキーが文字入力モード、あるいはカーソル移動（ポインタ制御）モードに切り替わる機能を有する移動体端末、そのポインタ制御方法、およびそのプログラムを提供することを目的とする。
【００１６】
【課題を解決するための手段】
かかる目的を達成するために、請求項１記載の発明は、文字入力モードとカーソル動作モードとを含む複数の操作モードを有するテンキーと、所定の表示領域を有し、表示領域中に入力を補助するカーソルを表示可能な表示手段と、テンキーの複数の操作モード間の切り替えを制御する切替制御手段と、テンキーを構成するいずれかのキーに対する利用者の押下が、長押し／短押しのいずれであるかを検知するユーザスイッチング手段とを有し、押下が短押しであると検知した場合、テンキーが文字入力モードとしての入力となり、押下が長押しであると検知した場合、テンキーがカーソル動作モードとしての入力となり、カーソル動作モードは、テンキーの内、マトリクス状に配列された９個のキーの中心となるキーの周囲８個のキーの押下を、表示手段に表示されるカーソルの上下左右および斜め４方向への移動に対応させたモードであり、周囲８個のキーの押下の長押し時は、カーソル動作モードへと切り替わるのと共に押下されたキーと対応させた方向にカーソル移動することを特徴としている。
【００１８】
請求項２記載の発明は、文字入力モードとスクロール動作モードとを含む複数の操作モードを有するテンキーと、所定の表示領域を有し、スクロール表示が可能な表示手段と、テンキーの複数の操作モード間の切り替えを制御する切替制御手段と、テンキーを構成するいずれかのキーに対する利用者の押下が、長押し／短押しのいずれであるかを検知するユーザスイッチング手段とを有し、押下が短押しであると検知した場合、テンキーが文字入力モードとしての入力となり、押下が前記長押しであると検知した場合、テンキーがスクロール動作モードとしての入力となり、スクロール動作モードは、テンキーの内、マトリクス状に配列された９個のキーの中心となるキーの周囲８個のキーの押下を、表示手段に表示される表示手段の表示領域の上下左右および斜め４方向への移動に対応させたモードであり、周囲８個のキーの押下の長押し時は、スクロール動作モードへと切り替わるのと共に押下されたキーと対応させた方向にスクロール移動することを特徴とすることを特徴としている。
【００２０】
請求項３記載の発明は、請求項１または２記載の発明において、テンキーの操作モードの種類を利用者に認識させる操作モード表示手段をさらに有することを特徴としている。
【００２１】
請求項４記載の発明は、請求項３記載の発明において、操作モード表示手段は、表示領域中に、テンキーの操作モードの種類を利用者に認識させる表示を表示することを特徴としている。
【００２２】
請求項５記載の発明は、請求項１または２記載の発明において、ユーザスイッチング手段は、利用者が発生させたステータス変化に基づき、切替制御手段に切り替え指示を通知することを特徴としている。
【００２３】
請求項６記載の発明は、請求項１または２記載の発明において、ユーザスイッチング手段は、テンキー中の「５」の長押しにより、切替制御手段に切り替え指示を通知することを特徴としている。
【００２４】
請求項７記載の発明は、文字入力モードとカーソル動作モードとを含む複数の操作モードを有するテンキーと、所定の表示領域を有し、表示領域中に入力を補助するカーソルを表示可能な表示部と、を有する移動体端末のポインタ制御方法であって、利用者からの複数の操作モード間の切り替えを指示するユーザスイッチング工程と、ユーザスイッチング工程により操作モードの切り替えを指示されたとき、テンキーの複数の操作モード間の切り替えを行う切替制御工程と、を有し、カーソル動作モードは、テンキーの内、マトリクス状に配列された９個のキーの中心となるキーの周囲８個のキーの押下を、表示部に表示されるカーソルの上下左右および斜め４方向への移動に対応させたモードであり、周囲８個のキーの押下の長押し時は、カーソル動作モードへと切り替わるのと共に押下されたキーと対応させた方向にカーソル移動することを特徴としている。
【００２６】
請求項８記載の発明は、文字入力モードとスクロール動作モードとを含む複数の操作モードを有するテンキーと、所定の表示領域を有し、スクロール表示が可能な表示部と、を有する移動体端末のポインタ制御方法であって、複数の操作モード間の切り替えを指示するユーザスイッチング工程と、ユーザスイッチング工程により操作モードの切り替えを指示されたとき、テンキーの複数の操作モード間の切り替えを行う切替制御工程と、を有し、ユーザスイッチング工程は、テンキーを構成するいずれかのキーに対する利用者の押下が、長押し／短押しのいずれであるかを検知する工程であり、押下が短押しであると検知した場合、テンキーが文字入力モードとしての入力となり、押下が前記長押しであると検知した場合、テンキーがスクロール動作モードとしての入力となり、スクロール動作モードは、テンキーの内、マトリクス状に配列された９個のキーの中心となるキーの周囲８個のキーの押下を、表示部に表示される表示領域の上下左右および斜め４方向への移動に対応させたモードであり、周囲８個のキーの押下の長押し時は、スクロール動作モードへと切り替わるのと共に押下されたキーと対応させた方向にスクロール移動することを特徴としている。
【００２８】
請求項９記載の発明は、請求項７または８記載の発明において、テンキーの操作モードの種類を利用者に認識させる操作モード表示工程をさらに有することを特徴としている。
【００２９】
請求項１０記載の発明は、請求項９記載の発明において、操作モード表示工程は、表示部の表示領域中に、テンキーの操作モードの種類を利用者に認識させる表示を行うことを特徴としている。
【００３０】
請求項１１記載の発明は、請求項７または８記載の発明において、ユーザスイッチング工程は、利用者が発生させたステータス変化に基づくことを特徴としている。
【００３１】
請求項１２記載の発明は、請求項７または８記載の発明において、ユーザスイッチング工程は、テンキー中の「５」の長押しに基づくことを特徴としている。
【００３２】
請求項１３記載の発明は、文字入力モードとカーソル動作モードとを含む複数の操作モードを有するテンキーと、所定の表示領域を有し、表示領域中に入力を補助するカーソルを表示可能な表示部と、を有する移動体端末に対して、利用者からの複数の操作モード間の切り替えを指示するユーザスイッチング処理と、ユーザスイッチング処理により操作モードの切り替えを指示されたとき、テンキーの複数の操作モード間の切り替えを行う切替制御処理と、を実行させるポインタ制御プログラムであって、ユーザスイッチング処理は、テンキーを構成するいずれかのキーに対する利用者の押下が、長押し／短押しのいずれであるかを検知する処理であり、押下が短押しであると検知した場合、テンキーが文字入力モードとしての入力となり、押下が長押しであると検知した場合、テンキーがカーソル動作モードとしての入力となり、カーソル動作モードは、テンキーの内、マトリクス状に配列された９個のキーの中心となるキーの周囲８個のキーの押下を、表示部に表示されるカーソルの上下左右および斜め４方向への移動に対応させたモードであり、周囲８個のキーの押下の長押し時は、カーソル動作モードへと切り替わるのと共に押下されたキーと対応させた方向にカーソル移動することを特徴としている。
【００３４】
請求項１４記載の発明は、文字入力モードとスクロール動作モードとを含む複数の操作モードを有するテンキーと、所定の表示領域を有し、スクロール表示が可能な表示部と、を有する移動体端末に対して、利用者からの複数の操作モード間の切り替えを指示するユーザスイッチング処理と、ユーザスイッチング処理により操作モードの切り替えを指示されたとき、テンキーの複数の操作モード間の切り替えを行う切替制御処理と、を実行させるポインタ制御プログラムであって、ユーザスイッチング処理は、テンキーを構成するいずれかのキーに対する利用者の押下が、長押し／短押しのいずれであるかを検知する処理であり、押下が短押しであると検知した場合、テンキーが文字入力モードとしての入力となり、押下が前記長押しであると検知した場合、テンキーがスクロール動作モードとしての入力となり、スクロール動作モードは、テンキーの内、マトリクス状に配列された９個のキーの中心となるキーの周囲８個のキーの押下を、表示部に表示される表示領域の上下左右および斜め４方向への移動に対応させたモードであり、周囲８個のキーの押下の長押し時は、スクロール動作モードへと切り替わるのと共に押下されたキーと対応させた方向にスクロール移動することを特徴としている。
【００３６】
請求項１５記載の発明は、請求項１３または１４記載の発明において、テンキーの操作モードを利用者に認識させる操作モード表示処理をさらに移動体端末に実行させることを特徴としている。
【００３７】
請求項１６記載の発明は、請求項１５記載の発明において、操作モード表示処理は、表示部の表示領域中に、テンキーの操作モードの種類を利用者に認識させる表示を行うことを特徴としている。
【００３８】
請求項１７記載の発明は、請求項１３または１４記載の発明において、ユーザスイッチング処理は、利用者が発生させたステータス変化に基づくことを特徴としている。
【００３９】
請求項１８記載の発明は、請求項１３または１４記載の発明において、ユーザスイッチング処理は、テンキー中の「５」の長押しに基づくことを特徴としている。
【００４０】
【発明の実施の形態】
以下、本発明の実施の形態を添付図面を参照しながら詳細に説明する。
【００４１】
図１は、本発明の第１の実施の形態における携帯電話装置１１の内部構成を示すブロック図である。携帯電話装置１１は、無線部１、制御部２、音声信号処理部３、表示部（ＬＣＤ部）４、キー入力部５、レシーバ／マイク部６、ＲＯＭ部７、ＲＡＭ部８、および開閉検出部９を備える。ここで、折り畳み式の筐体ではなくストレート型の筐体の場合には、開閉検出部９は必要ない。
【００４２】
無線部１は、無線回線を使用して信号を送受信する。制御部２は、予めＲＯＭ部７に書き込まれたプログラムにより本装置を動作させるための制御を行う。音声信号処理部３は、レシーバ／マイク部６のマイクより吹き込まれた音声信号をデジタル信号に変換する。また、アンテナから受信したデジタル信号をレシーバ／マイク部６へ送出する音声信号に変換する。
【００４３】
ＬＣＤ部４は、利用者に対して各種メッセージ等の情報を表示する。キー入力部５は、利用者より各種情報を入力される。また、通話時における各種指示が入力される。レシーバ／マイク部６は、音声信号処理部３にてデジタル信号から変換された音声信号を出力する、若しくは利用者の発した音声信号が入力される。また、音声着信時やメール着信時に着信音を鳴動する。
【００４４】
ＲＯＭ部７は、制御部２が動作するための本携帯電話装置１１のプログラムや基本データが予め書き込まれている。このプログラム等は、通常の利用者の操作では書き換えが不可能である。ＲＡＭ部８は、制御部２が各種動作を行う際の作業用データの一時格納領域として使用される。また、利用者からの設定情報を一時保存する領域としても使用される。開閉検出部９は、筐体の開閉状態若しくは開閉角度を検出して制御部２に通知する。
【００４５】
次に、本携帯電話装置１１を正面から見た場合のＬＣＤ部４およびキー入力部５の詳細について説明する。図２は、本発明の実施の形態における携帯電話装置のＬＣＤ部４およびキー入力部５の配置一例を示す図である。図２に示すように本携帯電話装置１１を正面から見ると、ＬＣＤ部４およびキー入力部５は、並んで配列されている。さらに、キー入力部５は、複数のキーにより構成されており、以下にキー入力部５の構成について説明する。
【００４６】
キー入力部５は、カーソルＯＮ／ＯＦＦキー５１、通話開始キー５２、文字・メールキー５３、カーソルＯＮ／ＯＦＦ・ＬＥＤ５４、通話終了キー５５、電話帳キー５６、およびテンキー５７を備える。カーソルＯＮ／ＯＦＦキー５１は、テンキー５７押下時の動作を、カーソル動作モードと文字入力動作モードとをトグル式により切り替えるために使用される。通話キー５２は、相手方と通話するために発信操作を行う際、ダイヤル後の発信操作を行うために使用される。
【００４７】
文字・メールキー５３は、電話帳編集時やメール作成時等の文字入力時に、テンキー５７からの入力を英文字、カナ、ひらがな、および数字のいずれかに選択確定する操作のために使用される。また、携帯電話装置１１の状態が文字入力時以外の状態、例えば待ち受け状態において、Ｅ−ＭＡＩＬ等の各種メニューに遷移するために使用される。カーソルＯＮ／ＯＦＦ・ＬＥＤ５４は、テンキー５７の動作モードがカーソル動作モードのときに点灯し、テンキー５７のモードが文字入力モードのときに消灯して、利用者に対してテンキー５７がカーソル動作モードであるか文字入力モードであるかを認識させる。
【００４８】
通話終了キー５５は、通話（通信）中の押下により接続中の無線通信回線を切断したり、あるいは長押しにより携帯電話装置１１の電源をＯＦＦにするために使用される。電話帳キー５６は、携帯電話装置１１に保存されている電話帳データを呼び出して編集等を行ったり、電話帳各種メニューに遷移するために使用される。テンキー５７は、カーソルＯＮ／ＯＦＦキー５１により「カーソル動作モード」若しくは「文字入力モード」と機能が変化する。
【００４９】
また、ここで本携帯電話装置１１が提供する通信機能は、無線通信回線経由の音声通話機能、およびインターネットと相互接続された無線回線経由のメール送受信機能を想定している。
【００５０】
次に、本発明の第１の実施の形態における携帯電話装置の動作（ポインタ制御方法）について図３〜図１０を参照しながら説明する。図３〜図１０は、本発明の第１の実施の形態における携帯電話装置の利用者によるキー入力部５の操作とＬＣＤ部４のカーソル表示の一例を説明するための図である。
【００５１】
図３は、初期状態（文字入力モード）におけるＬＣＤ部４の表示例を示している。図３において、テンキー５７は、文字入力モードとなっている。カーソルＯＮ／ＯＦＦ・ＬＥＤ５４は、消灯しており、テンキー５７が文字入力モードであることを利用者に示している。
【００５２】
図４は、図３の状態からテンキー５７上の「２」キーを押下した場合のＬＣＤ部４の表示例を示している。図４において、テンキー５７は、文字入力モードであるから、利用者が「２」を押下すると、図３に示すＬＣＤ部４のカーソルの位置に「２」が入力される。そして、当該カーソルの位置が一つ右にずれる。
【００５３】
図５は、図４の状態からカーソルＯＮ／ＯＦＦキー５１を押下した場合の状態を示している。図５において、カーソルＯＮ／ＯＦＦキー５１が押下されると、テンキー５７は、文字入力モードからカーソル動作モードに切り替わる。カーソルＯＮ／ＯＦＦ・ＬＥＤ５４は、点灯することにより、テンキー５７がカーソル動作モードであることを利用者に示す。
【００５４】
図６は、テンキー５７がカーソル動作モードである場合において、各キーとカーソル移動位置との関係を示す図である。カーソル動作モードにおいて、テンキー５７の「１」〜「９」キーは、「５」キーを中心とした８方向のカーソル移動を行うためのキーとなり、カーソル動作のために使用される。
【００５５】
図７は、図５の状態からテンキー５７の「３」キーを押下した場合のＬＣＤ部４のカーソル表示（移動）例を示している。図７において、テンキー５７は、カーソル移動モードであるから、利用者が「３」を押下すると、図５に示すＬＣＤ部４のカーソルの位置が右上に一つ移動する。即ち、カーソルが「く」の位置に合わされることになる。
【００５６】
図８は、図７の状態からテンキー５７の「８」キーを押下した場合のＬＣＤ部４のカーソル表示（移動）例を示している。図８において、テンキー５７は、カーソル移動モードであるから、利用者が「８」を押下すると、図７に示すＬＣＤ部４のカーソルの位置が下に一つ移動する。
【００５７】
図９は、図８の状態からカーソルＯＮ／ＯＦＦキー５１を押下した場合の状態を示している。図９において、カーソルＯＮ／ＯＦＦキー５１が押下されると、テンキー５７は、カーソル動作モードから文字入力モードに切り替わる。カーソルＯＮ／ＯＦＦ・ＬＥＤ５４は、消灯することにより、テンキー５７が文字入力モードであることを利用者に示す。
【００５８】
図１０は、図９の状態からテンキー５７の「８」キーを押下した場合のＬＣＤ部４のカーソル表示例を示している。図１０において、テンキー５７は、文字入力モードであるから、利用者が「８」を押下すると、図９に示すＬＣＤ部４のカーソルの位置に「８」が入力される。そして、当該カーソルの位置が一つ右にずれる。
【００５９】
次に、第２の実施の形態について説明する。図１１は、本発明の第２の実施の形態における携帯電話装置１１の内部構成を示すブロック図である。図１１は、図１に示した第１の実施の形態に係る携帯電話装置１１に長押し／短押し検出部１０を加えた構成となっている。また、本実施の形態によれば、図２に示した第１の実施の形態に係る携帯電話装置１１のカーソルＯＮ／ＯＦＦキー５１は必要ない。
【００６０】
長押し／短押し検出部１０は、テンキー５７内のいずれかのキーが押下された場合、当該キーが「長押し」されたか「短押し」されたかを検出する。当該検出の結果、当該キーが「長押し」された場合は、カーソル移動モードとして動作し、当該キーが「短押し」された場合は、文字入力モードとして動作する。
【００６１】
例えば、「３」キーが短く押下されたならば、ＬＣＤ部４上に所定の文字を入力し、「３」キーが長く押下されたならば、カーソル動作モードへと移行するのと同時にＬＣＤ部４上のカーソルを原位置より右斜め上に移動する。
【００６２】
本実施の形態によれば、テンキー５７のみによりメール編集、および電話帳編集等が可能となり、指の移動を最小限にすることができ、操作性が向上する。また、カーソルＯＮ／ＯＦＦキー５１を省略することができるため、さらに操作部を簡素化することができる。
【００６３】
なお、本発明に係るポインタ制御方法は、プログラムを実行することにより実現可能である。当該プログラムは、半導体ＩＣ記録媒体、磁気記録媒体、光記録媒体、若しくは光磁気記録媒体に記録されて提供されるか、またはファイル転送プロトコル（ＦＴＰ）により装置にダウンロードされて提供される。
【００６４】
なお、上述した実施の形態は、本発明の好適な実施の形態の一例を示すものであり、本発明はそれに限定されることなく、その要旨を逸脱しない範囲内において、種々変形実施が可能である。
【００６５】
また、携帯電話１１上にカーソルＯＮ／ＯＦＦ・ＬＥＤ５４を実装するかわりに、ＬＣＤ部４の画面上に表示されていても問題はない。これによれば、さらに操作部に割り当てられる領域を節約することができる。また、テンキー自体を文字入力モードの場合とカーソル動作モードの場合とで異なる色で発光させてもよい。さらに、ＬＣＤ部４に表示されているカーソルの色で両モードの区別を利用者に示してもよい。これらは、主に暗闇で使用する場合に効果を発揮する。
【００６６】
また、上記実施の形態の説明においては、メール編集時を想定して動作を説明した。この点、既存の携帯電話における電話帳編集時や機能設定を行う場合の各方向への画面スクロール等、一般的なカーソルキーを使用する場面でも本発明を適用することができる。スクロール表示に適用する場合、文字入力モードとスクロール表示モードとを切え替えることになる。また、アプリケーションにより、メールソフト実行時は文字入力モードとカーソル移動モードとの切り替えを行い、ブラウザソフト実行時は文字入力モードとスクロール表示モードとの切り替えを行うようにしてもよい。
【００６７】
また、上記実施の形態の説明においては、文字入力モードとスクロール動作モードとの切り替えをカーソルＯＮ／ＯＦＦキーの押下により実行した。このカーソルＯＮ／ＯＦＦキーは、筐体のどの部分に配置してもよい。即ち、ストレート型（一体型）携帯電話機の操作面・背面・側面、または折畳型携帯電話機の上下筐体の夫々につき操作面・背面・側面のいずれかに配置することができる。
【００６８】
また、カーソルＯＮ／ＯＦＦキーの構造・形状として、押しボタン型に限定されず、スライドスイッチ等を使用してもよい。
【００６９】
また、文字入力モードとスクロール動作モードとの切り替えを、ボタン操作ではなく、携帯電話機の何らかのステータスの変化に関連付けてもよい。例えば、折畳型携帯電話機の上下筐体の開閉角度を所定の範囲内にすることや、アンテナの伸縮状態を変化させることや、筐体を振るといったことに関連付けてもよい。これらの手法は、各々センサを設けて検出信号を制御部に通知することにより、実現可能である。
【００７０】
さらに、上記モード切り替えをテンキーの「５」の長押しにより行ってもよい。カーソルの移動に「５」は必要ないため、切り替えキーに割り当てることができる。
【００７１】
また、カーソル動作モードにおいて、テンキーの内、下段の余ったキーにタブ機能、改行機能、挿入モードと上書きモードの切り替え機能等に割り当ててもよい。
【００７２】
また、上記実施の形態の説明においては、ＬＣＤ（液晶ディスプレイ）を表示部として使用した例を説明した。この点、ＬＣＤに限らず、有機ＥＬ（エレクトロルミネッセンス）ディスプレイ等その他のディスプレイでもよい。
【００７３】
【発明の効果】
以上の説明から明らかなように、本発明によれば、携帯電話装置等の移動体端末において、利用者がテンキーの動作を文字入力モード、カーソル移動モードといったように、複数のモードを任意に切り替え可能としたため、筐体にカーソルキーを実装することなく、テンキーのみでカーソル移動（ポインタ制御）あるいは文字入力が可能となる。
また、複数のモードを切り替える際に、モード切り替えを行うのと同時に押下したキーと対応させた方向に移動することで、所定の方向、所定の移動量を制御してモード切り替えを行なうことが可能となる。
【００７４】
また、携帯電話装置上にカーソルを移動するためのカーソルキーが実装不要となることにより、他のキーを大きくすることも可能であり、その場合操作性・利便性が向上する。
【００７５】
また、カーソル移動のためにテンキーを利用すると、斜め方向へのカーソル移動も容易となり、操作性・利便性が向上する。
【００７６】
さらに、文字入力モードとカーソル移動（スクロール）モードとの切り替えを容易にしたため、操作性・利便性が向上する。
【図面の簡単な説明】
【図１】本発明の第１の実施の形態における携帯電話装置１１の内部構成を示すブロック図である。
【図２】本発明の第１の実施の形態における携帯電話装置のＬＣＤ部４およびキー入力部５の配置一例を示す図である。
【図３】本発明の第１の実施の形態における携帯電話装置の利用者によるキー入力部５の操作とＬＣＤ部４のカーソル表示の一例を説明するための図である。
【図４】本発明の第１の実施の形態における携帯電話装置の利用者によるキー入力部５の操作とＬＣＤ部４のカーソル表示の一例を説明するための図である。
【図５】本発明の第１の実施の形態における携帯電話装置の利用者によるキー入力部５の操作とＬＣＤ部４のカーソル表示の一例を説明するための図である。
【図６】テンキー５７がカーソル移動モードである場合において、各キーとカーソル移動位置との関係を示す図である。
【図７】本発明の第１の実施の形態における携帯電話装置の利用者によるキー入力部５の操作とＬＣＤ部４のカーソル表示の一例を説明するための図である。
【図８】本発明の第１の実施の形態における携帯電話装置の利用者によるキー入力部５の操作とＬＣＤ部４のカーソル表示の一例を説明するための図である。
【図９】本発明の第１の実施の形態における携帯電話装置の利用者によるキー入力部５の操作とＬＣＤ部４のカーソル表示の一例を説明するための図である。
【図１０】本発明の第１の実施の形態における携帯電話装置の利用者によるキー入力部５の操作とＬＣＤ部４のカーソル表示の一例を説明するための図である。
【図１１】本発明の第２の実施の形態における携帯電話装置１１の内部構成を示すブロック図である。
【図１２】従来の携帯電話装置の外観を示す概略正面図である。
【符号の説明】
１  無線部
２  制御部
３  音声信号処理部
４  ＬＣＤ部
５  キー入力部
５１  カーソルＯＮ／ＯＦＦキー
５２  通話開始キー
５３  文字・メールキー
５４  カーソルＯＮ／ＯＦＦ  ＬＥＤ
５５  通話終了キー
５６  電話帳キー
５７  テンキー
６  レシーバ／マイク部
７  ＲＯＭ部
８  ＲＡＭ部
９  開閉検出部
１０  長押し／短押し検出部
１１  携帯電話
【図１】
0004161561.tif 000002
【図２】
0004161561.tif 000003
【図３】
0004161561.tif 000004
【図４】
0004161561.tif 000005
【図５】
0004161561.tif 000006
【図６】
0004161561.tif 000007
【図７】
0004161561.tif 000008
【図８】
0004161561.tif 000009
【図９】
0004161561.tif 000010
【図１０】
0004161561.tif 000011
【図１１】
0004161561.tif 000012
【図１２】
0004161561.tif 000013